(57)【要約】【課題】容易に被介護者を移動させることのできる被介護者移動マットを提供する。【解決手段】被介護者移動マット１００は、被介護者を載せるマット１１０と、マット１１０の載置面短手方向の両端部に取りつけられた少なくとも１組の取手紐１２０と、側縁部がマット１１０の載置面短手方向の一端と他端とに各々取りつけられ、マット１１０の背面側に開口部１３２を有する筒状シート１３０と、を備える。取手紐１２０を移動方向に引き、被介護者を載せたマット１１０を、筒状シート１３０の上で、被介護者の身体の横方向に滑動させることで、被介護者を移動させる。【選択図】図１
0003189795.tif 000002
【実用新案登録請求の範囲】
【請求項１】
被介護者を載せるマットと、
前記マットの載置面短手方向の両端部に取りつけられた少なくとも１組の取手紐と、
側縁部が前記マットの載置面短手方向の一端と他端とに各々取りつけられ、前記マットの背面側に開口部を有する筒状シートと、
を備え、
前記取手紐を移動方向に引き、被介護者を載せた前記マットを、前記筒状シートの上で、被介護者の身体の横方向に滑動させることで、被介護者を移動させる、
ことを特徴とする被介護者移動マット。
【請求項２】
前記マットの表地及び前記筒状シートの素材は、ナイロンである、
ことを特徴とする請求項１に記載の被介護者移動マット。
【請求項３】
前記マットには、前記取手紐が２組取り付けられている、
ことを特徴とする請求項１又は２に記載の被介護者移動マット。
【請求項４】
前記マットは、胴部保持部材をさらに備える、
ことを特徴とする請求項１乃至３のいずれか１項に記載の被介護者移動マット。
【請求項５】
前記マットは、頭部保持部材をさらに備える、
ことを特徴とする請求項１乃至４のいずれか１項に記載の被介護者移動マット。
【請求項６】
前記マットは、足部保持部材をさらに備える、
ことを特徴とする請求項１乃至５のいずれか１項に記載の被介護者移動マット。
【考案の詳細な説明】
【技術分野】
【０００１】
本考案は、被介護者移動マットに関する。
【背景技術】
【０００２】
高齢化社会を迎え、被介護者の数が年々増加している。被介護者をベッドからストレッチャーや各種検査台に移動させるときには、一般的に、複数の介助者が被介護者を持ち上げて行うが、昨今では、体格のよい被介護者も増えてきており、介助者への身体的負担が問題視されている。
【０００３】
そこで、被介護者を移動させるための用具が開発されてきた。
【０００４】
例えば、特許文献１には、折りたたみ可能な細長い形状を有し患者の身長方向に展開可能なシートと、シート長手方向の中央部及び両端部に各々配設された引き紐とを備える患者移乗用具が開示されている。
【先行技術文献】
【特許文献】
【０００５】
【特許文献１】特開２０１３−１６５８３８号公報
【考案の概要】
【考案が解決しようとする課題】
【０００６】
しかしながら、特許文献１に記載の患者移乗用具では、その上に患者を載せてシートを引っ張ってベッドから搬送用ベッドに移動させる際に、シートとベッドとの間の摩擦力の関係で、患者を載せたシートをベッドからスムーズに動かすことができない場合があった。
【０００７】
本考案は、上記実情に鑑みてなされたものであり、容易に被介護者を移動させることのできる被介護者移動マットを提供することを目的とする。
【課題を解決するための手段】
【０００８】
上記目的を達成するため、本考案に係る被介護者移動マットは、
被介護者を載せるマットと、
前記マットの載置面短手方向の両端部に取りつけられた少なくとも１組の取手紐と、
側縁部が前記マットの載置面短手方向の一端と他端とに各々取りつけられ、前記マットの背面側に開口部を有する筒状シートと、
を備え、
前記取手紐を移動方向に引き、被介護者を載せた前記マットを、前記筒状シートの上で、被介護者の身体の横方向に滑動させることで、被介護者を移動させる。
【０００９】
例えば、前記マットの表地及び前記筒状シートの素材は、ナイロンである。
【００１０】
例えば、前記マットには、前記取手紐が２組取り付けられている。
【００１１】
例えば、前記マットは、胴部保持部材をさらに備える。
【００１２】
例えば、前記マットは、頭部保持部材をさらに備える。
【００１３】
例えば、前記マットは、足部保持部材をさらに備える。
【考案の効果】
【００１４】
本考案によれば、容易に被介護者を移動させることのできる被介護者移動マットを提供することができる。
【図面の簡単な説明】
【００１５】
【図１】（ａ）は本考案の一実施形態である被介護者移動マットの正面図であり、（ｂ）は本考案の一実施形態である被介護者移動マットの背面図である。
【図２】（ａ）は移動前の状態を表す動作状態図であり、（ｂ）は移動中の状態を表す動作状態図である。
【図３】（ａ）は移動後の状態を表す動作状態図であり、（ｂ）は筒状シートをマットの下に入れ込んだ状態を表す動作状態図である。
【図４】（ａ）は被介護者の身体の下にある被介護者移動マットを抜き取る状態を表す動作状態図であり、（ｂ）は移動が完了した状態を表す動作状態図である。
【図５】胴部保持部材を説明する図である。
【図６】頭部保持部材を説明する図である。
【図７】足部保持部材を説明する図である。
【考案を実施するための形態】
【００１６】
以下、本考案の実施形態について図面を参照して詳細に説明する。
【００１７】
図１、図２に示すように、本考案の実施形態に係る被介護者移動マット１００は、マット１１０と、取手紐１２０と、筒状シート１３０と、を備える。
【００１８】
マット１１０は、被介護者を載せるためのものであり、図１に示すように、矩形状をなし、厚さ１ｃｍ程度のウレタン材をナイロン製の表地で覆ったものである。後述するように、マット１１０の上に、被介護者３０を載せて、ベッド１０からストレッチャー２０に被介護者３０を移動させる（図２−４）。
【００１９】
取手紐１２０は、図１に示すように、マット１１０の載置面短手方向の両端部（載置面長辺側の側面部）に輪っか状に取りつけられている。取手紐１２０は、マット１１０の前面側の両端部に２個ずつ（２組）、計４個取りつけられている。後述するように、取手紐１２０を移動方向（本実施形態では、ベッド１０からストレッチャー２０の方向）に引っ張ることで、被介護者３０をベッド１０からストレッチャー２０に移動させることができる（図２−４）。
【００２０】
筒状シート１３０は、矩形状のナイロン製の布でできており、図２−３に示すように、被介護者３０を載せたマット１１０を被介護者３０の身体の横方向に滑動させるために、マット１１０に取りつけられている。より具体的には、図１（ｂ）に示すように、矩形状の筒状シート１３０の側縁部がマット１１０の載置面短手方向の一端と他端とに各々取りつけられ、マット１１０の背面側に開口部１３２を有するように設けられている。後述するように、被介護者３０を載せたマット１１０を、筒状シート１３０の上で、被介護者３０の身体の横方向に滑動させることで、被介護者３０を移動させることができる（図２−４）。なお、筒状シート１３０の布地には、マット１１０の表地に対して滑りの良いナイロン製の布が用いられる。
【００２１】
次に、本実施形態に係る被介護者移動マット１００の製造方法の一例について説明する。
【００２２】
３１ｃｍ×１８０ｃｍの大きさ、厚さ１ｃｍ程度のウレタン材をナイロン製の布で覆うように縫製してマット１１０を作成する。
【００２３】
マット１１０の載置面短手方向の両端部（載置面長辺側の側面部）に、取手紐１２０を計４個、輪っか状に縫いつける。
【００２４】
筒状シート１３０として、１００ｃｍ×１３０ｃｍの大きさのナイロン製の布を用意する。筒状シート１３０の１００ｃｍの長さの側縁部を、マット１１０の載置面短手方向の一端と他端とに各々縫いつける。この際、マット１１０の長手方向の略中央部と、筒状シート１３０の１００ｃｍの長さの各側縁部の略中央部と、が重なるように縫製する。また、先に縫いつけた取手紐１２０が、マット１１０の前面側に出るように、すなわち、筒状シート１３０の開口部１３２がマット１１０の背面側にくるように縫製する（図１（ｂ））。
【００２５】
以上のようにして、被介護者移動マット１００を製造することができる。
【００２６】
次に、図２−４に従って、本実施形態に係る被介護者移動マット１００の使用方法の一例について説明する。
【００２７】
以下、被介護者３０の頭側に１名（介護者Ａ）、足側に１名（介護者Ｂ）、被介護者移動マット１００を扱う１名（介護者Ｃ）の計３名の介護者（図示せず）で、被介護者３０をベッド１０からストレッチャー２０に移動させる方法について説明する。
【００２８】
まず、図２（ａ）に示すように、ベッド１０に寝ている被介護者３０の身体の下に被介護者移動マット１００を差し入れる。被介護者３０の身体を横向きにし、マット１１０を被介護者３０の身体の下に差し入れ、被介護者３０の身体を仰向けに戻して、マット１１０の上に被介護者３０を載せる。この際、筒状シート１３０をマット１１０の下部から引き出して、ベッド１０の横に置いたストレッチャー２０上に広げるように整えて設置する（図２（ａ））。
【００２９】
次に、介護者Ａ及び介護者Ｂが各々被介護者３０の頭及び足部を支えながら、介護者Ｃが取手紐１２０を持ち、移動方向、すなわちストレッチャー２０側（図２（ａ）の矢印方向）に引っ張る。こうすることで、被介護者３０を載せたマット１１０が、ベッド１０からストレッチャー２０の方向に、筒状シート１３０上を滑動し（図２（ｂ））、最終的には、被介護者３０を載せたマット１１０がベッド１０を離れストレッチャー２０上に載る（図３（ａ））。なお、介護者Ｃが取手紐１２０を移動方向に引っ張る作業は、介護者Ｃがストレッチャー２０の、ベッド１０側とは反対の側（被介護者３０から見て左側）に立って行う。
【００３０】
次に、図３（ｂ）に示すように、介護者Ｃが、筒状シート１３０及び（被介護者３０から見て）左側の取手紐１２０をマット１１０の下に入れ込む。この際、介護者Ｃは、ストレッチャー２０の、ベッド１０側とは反対の側（被介護者３０から見て左側）に立って、被介護者３０の身体を横向きにしつつ、筒状シート１３０及び左側の取手紐１２０をマット１１０の下に入れ込む。またこの際、被介護者３０がストレッチャー２０から落ちないように、介護者Ａ及び介護者Ｂが各々被介護者３０の頭及び足部を支えながら行う。
【００３１】
次に、図４（ａ）に示すように、介護者Ａ及び介護者Ｂが各々被介護者３０の頭及び足部を支えながら被介護者３０の身体を横向きにし、介護者Ｃが被介護者３０の身体を支えつつ、被介護者３０の身体の下にある被介護者移動マット１００を、被介護者３０から見て右側から抜き取る（図４（ａ）の矢印方向に抜き取る）。この際、介護者Ｃは、ストレッチャー２０の、ベッド１０側とは反対の側（被介護者３０から見て左側）に立って、被介護者３０の身体の下にある被介護者移動マット１００を抜き取る。このように、介護者Ｃは、取手紐１２０を持って移動方向に引っ張る作業から、被介護者３０の身体の下にある被介護者移動マット１００を抜き取る作業の、一連の移動作業を、ストレッチャー２０の、ベッド１０側とは反対の側（被介護者３０から見て左側）に立って行うことができる。このように、介護者Ｃ自身が作業場所を移動することなく、一連の移動作業をスムーズに行うことができる。
【００３２】
次に、図４（ｂ）に示すように、ストレッチャー２０上で被介護者３０の身体を仰向けに戻す。
【００３３】
以上のようにして、被介護者移動マット１００を用いて、被介護者３０をベッド１０からストレッチャー２０に移動させることができる。
【００３４】
以上に述べたように、本実施形態に係る被介護者移動マット１００を用いることで、被介護者３０を容易に移動させることができる。筒状シート１３０の布地には、マット１１０の表地に対して滑りの良い生地が用いられているため、被介護者３０を載せたマット１１０を筒状シート１３０上でなめらかに滑動させることができる。このため、介護者は被介護者を持ち上げることなく被介護者を移動させることができ、介護者への身体的負担を大幅に軽減することができる。
【００３５】
また、本実施形態に係る被介護者移動マット１００においては、被介護者３０を載せたマット１１０を筒状シート１３０上でなめらかに滑動させることができるため、例えば、ベッドとストレッチャーとの間に５ｃｍ程の段差があっても、スムーズかつ安全に被介護者を移動させることができる。
【００３６】
また、本実施形態に係る被介護者移動マット１００では、被介護者３０を載せたマット１１０を筒状シート１３０上でなめらかに滑動させることができるため、移動時の被介護者３０の身体への物理的衝撃を軽減させることができ、移動に伴う被介護者３０の痛みを軽減させることができる。
【００３７】
また、本実施形態に係る被介護者移動マット１００は、マット１１０の幅が３１ｃｍであるため、被介護者３０の身体の下に入れ込みやすい。また、被介護者３０を移動させた後も、前述の通りマット１１０の幅が３１ｃｍであり、また、マット１１０の下に筒状シート１３０をしまい込めるため、被介護者の身体の下からはずしやすい。このため、被介護者３０の移動を短時間で行うことができる。介護施設等では、一日のうち多数の被介護者をベッドからストレッチャーに移動させるなどの作業が必要であるが、本実施形態に係る被介護者移動マット１００を用いることで、少ない人数の介護者でも、多くの回数行わなければならない移動作業を効率良く行うことができる。
【００３８】
また、本実施形態に係る被介護者移動マット１００を用いることで、介護者自身が作業場所を移動することなく、取手紐１２０を持って移動方向に引っ張る作業から、被介護者３０の身体の下にある被介護者移動マット１００を抜き取る作業の、一連の移動作業をスムーズに行うことができる。このため、被介護者の移動作業を効率良く行うことができるとともに、病室が狭くスペースを広く確保できない場合でも効率良く移動作業を行うことができる。
【００３９】
また、本実施形態に係る被介護者移動マット１００は、マット１１０、取手紐１２０、筒状シート１３０の各部が一体型に縫製されている。このため、被介護者の移動作業の前に組み立てる必要がなく効率的な移動作業が可能であると同時に、施設内での持ち運びにも便利である。
【００４０】
なお、この考案は上記実施の形態に限定されず、種々の変形及び応用が可能である。例
えば、図５に示すように、マット１１０の長手方向の略中心部に胴部保持部材１１６が備えられていてもよい。胴部保持部材１１６は、例えば、矩形状の布でできており、マット１１０の表地と同じ布地で作られている。例えば、矩形状の胴部保持部材１１６の一方の側縁部はマット１１０の載置面短手方向の一端に縫いつけられて固定されており、胴部保持部材１１６の他方の側縁部はマット１１０の載置面短手方向の他端に例えばマジックテープ（登録商標）（図示せず）を介して固定されている。このように、胴部保持部材１１６の他方の側縁部には例えばマジックテープが取りつけられており、胴部保持部材１１６の他方の側縁部をマット１１０から取り外したり、固定したりすることができる。また、胴部保持部材１１６は、マット１１０の前面側に収容部１１６ａを有するように設けられている。収容部１１６ａは、被介護者３０の胴部を収容するためのものである。このような胴部保持部材１１６を備える場合、胴部保持部材１１６の他方の側縁部をマット１１０から取り外した状態で、マット１１０に被介護者３０を載せ、被介護者３０の胴部を胴部保持部材１１６で覆い、胴部保持部材１１６の他方の側縁部をマジックテープでマット１１０に固定する。このようにして収容部１１６ａに被介護者３０の胴部を収めた後に、取手紐１２０を移動方向に引っ張る作業を行う。なお、胴部保持部材１１６を備える場合でも、マット１１０、取手紐１２０、筒状シート１３０等の詳細については、例えば前述と同様である。胴部保持部材１１６を備えることによって、移動時に被介護者の胴部をマット１１０に固定することができ、より安全に被介護者を移動させることができる。
【００４１】
また、図６に示すように、マット１１０の上端部近傍（被介護者３０の頭側）に頭部保持部材１１２が備えられていてもよい。頭部保持部材１１２は、例えば、布ゴム製であり、被介護者の頭部から額に被せられる。なお、頭部保持部材１１２を備える場合でも、マット１１０、取手紐１２０、筒状シート１３０等の詳細については、例えば前述と同様である。頭部保持部材１１２を備えることによって、移動時に被介護者の頭部をマット１１０に固定することができ、より安全に被介護者を移動させることができる。
【００４２】
また、図７に示すように、マット１１０の下端部近傍（被介護者の足側）に足部保持部材１１４が備えられていてもよい。足部保持部材１１４は、例えば、マット１１０の表地と同じ布地で作られており、被介護者３０の足先を収容するための収容部１１４ａを有するように、マット１１０の下端部近傍（被介護者３０の足側）に縫いつけられている。なお、足部保持部材１１４を備える場合でも、マット１１０、取手紐１２０、筒状シート１３０等の詳細については、例えば前述と同様である。被介護者の移動時に、被介護者の足先を足部保持部材１１４の収容部１１４ａに収容することでマット１１０に固定することができるため、より安全に被介護者を移動させることができる。
なお、上記に説明した、胴部保持部材１１６、頭部保持部材１１２、及び足部保持部材１１４の３部材については、これら３部材のうち任意の１部材を備える形態であってもよく、これら３部材のうち任意の２部材（２部材の組み合わせは自由である）を備える形態であってもよく、これら３部材すべてを備える形態であってもよい。
【００４３】
また、本実施形態においては、図２−３に示したように、被介護者３０が載ったベッド１０の、仰向けの被介護者３０から見て左側にストレッチャー２０を置いて、被介護者３０を移動させる形態について説明したが、被介護者３０が載ったベッド１０の右側にストレッチャー２０を置いて被介護者３０を移動させてもよい。このとき筒状シート１３０は右側に延ばし、取手紐１２０をストレッチャー２０側（右側）に引っ張る。このように、本考案による被介護者移動マット１００は、左右どちらへの移動にも用いることができ、利便性が高い。
【００４４】
また、本実施形態においては、被介護者３０の頭側に１名、足側に１名、被介護者移動マット１００を扱う１名の計３名の介護者で、被介護者３０をベッド１０からストレッチャー２０に移動させる形態について説明したが、例えば、腕が自由に動かせるなど、被介護者が移動時に被介護者移動マット１００から落ちないように被介護者自身で身体の動きをコントロールできる場合には、被介護者移動マット１００を扱う１名の介護者のみで移動作業を行ってもよい。
【００４５】
また、本実施形態においては、図２−４に示したように、ベッド１０からストレッチャー２０に被介護者３０を移動させる形態について説明したが、ストレッチャーからベッドへの移動、ベッドから各種の検査台（例えば、ＣＴ台、ＭＲＩ台など）への移動、検査台からベッドへの移動、ストレッチャーから検査台への移動、検査台からストレッチャーへの移動など、さまざまな場面での被介護者の移動作業に用いてもよい。
【００４６】
また、本実施形態においては、図２−４に示したように、マット１１０の上に直接被介護者３０を載せて移動させる形態について説明したが、同一の被介護者移動マットを複数の被介護者間で使い回す場合には、衛生上の観点から、マット１１０の上にバスタオルなどを敷いて、その上に被介護者を載せて用いてもよい。
【００４７】
また、本実施形態においては、厚さ１ｃｍ程度のウレタン材をナイロン製の布で覆ったマット１１０を用いた形態について説明したが、被介護者が移動時に痛みを感じないような、適度な厚さ及び弾力性を有する材質のものであれば、マット１１０に適宜用いることができる。
【００４８】
また、本実施形態においては、マット１１０及び筒状シート１３０の両方にナイロン製の布を用いた形態について説明したが、被介護者を載せたマット１１０を筒状シート１３０上でなめらかに滑動させることができるような、マット１１０の表地と筒状シート１３０の生地とが互いに滑り合うものであれば、ナイロン製の布以外でも適宜選択することができる。
【００４９】
また、本実施形態においては、３１ｃｍ×１８０ｃｍの大きさのウレタン材を用いてマット１１０を作成する形態について説明したが、マット１１０の大きさは、被介護者の身体の大きさなどに鑑み、適宜変更が可能である。また、本実施形態においては、１００ｃｍ×１３０ｃｍの大きさの筒状シート１３０を用いる形態について説明したが、筒状シート１３０の大きさについても、移動距離などに鑑み、適宜変更が可能である。
【００５０】
また、本実施形態においては、図１に示したように、取手紐１２０がマット１１０の前面側の両端部に２個ずつ（２組）、計４個取りつけられた形態について説明したが、取手紐１２０はマット１１０の両端部に３組以上取りつけられていてもよい。例えば、被介護者の頭部近傍や足下近傍にさらに取手紐１２０を設けた場合、頭や足等をより安定的に保って移動作業を行うことができる。また、取手紐１２０はマット１１０の両端部に１組取りつけられていてもよく、この場合、取手紐１２０の幅を広くしてもよい。
【００５１】
また、本実施形態においては、図４（ａ）に示したように、介護者Ｃがストレッチャー２０の、ベッド１０側とは反対の側（被介護者３０から見て左側）に立って、被介護者３０の身体の下にある被介護者移動マット１００を抜き取る形態について説明したが、ベッド１０とストレッチャー２０との間のスペースを十分に確保できる場合には、ベッド１０からストレッチャー２０に被介護者３０を移動させた後、介護者Ｃがストレッチャー２０の、ベッド１０側（被介護者３０から見て右側）に立って、被介護者３０の身体の下にある被介護者移動マット１００を抜き取ることもできる。この場合、図３（ｂ）に示したような筒状シート１３０をマット１１０の下にしまい込む作業を行う必要はない。
【符号の説明】
【００５２】
１０  ベッド
２０  ストレッチャー
３０  被介護者
１００  被介護者移動マット
１１０  マット
１１２  頭部保持部材
１１４  足部保持部材
１１４ａ  収容部
１１６  胴部保持部材
１１６ａ  収容部
１２０  取手紐
１３０  筒状シート
１３２  開口部
【図１】
0003189795.tif 000003
【図２】
0003189795.tif 000004
【図３】
0003189795.tif 000005
【図４】
0003189795.tif 000006
【図５】
0003189795.tif 000007
【図６】
0003189795.tif 000008
【図７】
0003189795.tif 000009